(57)【要約】      （修正有）【課題】３Ｃ製品が金属ハウジングを採用する時に、保護シート内層のパッシブＲＦＩＤタグに対して生じる無線周波数干渉（ＲＦＩ）或いは電磁波干渉（ＥＭＩ）の問題を解決することができるパッシブＲＦＩＤタグを備える保護シートを提供する。【解決手段】パッシブＲＦＩＤタグを保護シート内層に設置し、パッシブＲＦＩＤタグ位置には電磁波吸收層を設置する。保護シート本体１は相対する二側面であるフィルム層１１とアンチスクラッチ層１３との間にパッシブRFIDタグ２と電磁波吸收層３を設置し、しかも電磁波吸收層３はパッシブＲＦＩＤタグ２とフィルム層１１とを隔絶し、保護シート本体１がフィルム層１１を利用し、３Ｃ製品の金属ハウジングに吸着されると、電磁波吸收層３は、電池が発生する電磁波或いは他のＲＦ電波の、金属ハウジングを通した、パッシブＲＦＩＤタグ２への影響を隔絶することができる。【選択図】図１
0003183785.tif 000002
【実用新案登録請求の範囲】
【請求項１】
パッシブRFIDタグを備える保護シートであって、
保護シート本体、パッシブRFIDタグ、電磁波吸收層を備え、
前記保護シート本体は、相対する二側面を備え、一方の一側面は、フィルム層で、他方の一側面は、アンチスクラッチ層で、
前記パッシブRFIDタグは、前記フィルム層と前記アンチスクラッチ層との間に設置され、
前記電磁波吸收層は、前記フィルム層と前記アンチスクラッチ層との間に設置され、しかも前記電磁波吸收層は、前記パッシブRFIDタグと前記フィルム層とを隔絶することを特徴とするパッシブRFIDタグを備える保護シート。
【請求項２】
前記電磁波吸收層の面積は、前記パッシブRFIDタグの面積より大きいことを特徴とする、請求項１に記載のパッシブRFIDタグを備える保護シート。
【請求項３】
前記保護シート本体はさらに、前記フィルム層と前記アンチスクラッチ層との間に設けられる、バックフィルム層を備え、しかも、前記パッシブRFIDタグと前記電磁波吸收層とは、前記バックフィルム層中に設置されることを特徴とする、請求項１に記載のパッシブRFIDタグを備える保護シート。
【請求項４】
前記保護シート本体はさらに、前記フィルム層と前記アンチスクラッチ層との間に設けられる、バックフィルム層を備え、しかも、前記パッシブRFIDタグは、前記バックフィルム層中に設置され、前記電磁波吸收層は、前記バックフィルム層と前記フィルム層との間に設置されることを特徴とする、請求項１に記載のパッシブRFIDタグを備える保護シート。
【請求項５】
前記パッシブRFIDタグを備える保護シートはさらに、リリースフィルムを備え、前記リリースフィルムは、前記保護シート本体のフィルム層上に設置されることを特徴とする、請求項１に記載のパッシブRFIDタグを備える保護シート。
【請求項６】
前記パッシブRFIDタグを備える保護シートはさらに、表面保護フィルムを備え、前記表面保護フィルムは、前記保護シート本体のアンチスクラッチ層上に設置されることを特徴とする、請求項１に記載のパッシブRFIDタグを備える保護シート。
【請求項７】
パッシブRFIDタグを備える保護シートは、電子製品上に接着され、前記電子製品は、ハウジングを備え、前記ハウジングの少なくとも一部分は、金属表面で、
パッシブRFIDタグを備える保護シートは、保護シート本体、パッシブRFIDタグ、電磁波吸收層を備え、
前記保護シート本体は、相対する二側面を備え、一方の一側面は、フィルム層で、他方の一側面は、アンチスクラッチ層で、
前記パッシブRFIDタグは、前記フィルム層と前記アンチスクラッチ層との間に設置され、
前記電磁波吸收層は、前記フィルム層と前記アンチスクラッチ層との間に設置され、しかも前記電磁波吸收層は、前記パッシブRFIDタグと前記フィルム層とを隔絶し、
前記保護シート本体は、前記フィルム層により、電子製品上のハウジング上に接着させ、しかも前記パッシブRFIDタグの少なくとも一部分は、前記ハウジングの金属表面に重なり、前記電磁波吸收層の面積は、前記パッシブRFIDタグと前記金属表面との重なる面積をカバーすることを特徴とするパッシブRFIDタグを備える保護シート。
【考案の詳細な説明】
【技術分野】
【０００１】
本考案はパッシブRFIDタグを備える保護シートに関し、特にパッシブRFIDタグを保護シート内層に設置する構造で、さらにパッシブRFIDタグ位置には電磁波吸收層を設置するパッシブRFIDタグを備える保護シートに関する。
【背景技術】
【０００２】
電子マネーの普及に従い、電子マネーを３Ｃ製品上に結合し、使用者が持ち歩かなければならないカードの数を減らし、使用上の利便が図られている。電子マネーには、しばしばRFID技術が使用され、RFIDリーダーとRFIDタグの対応を通して、RFIDリーダーにより情報をRFIDタグに書き込み、或いはRFIDタグにより情報を読み取り、二者の対応により、RFIDタグのチャージ及び消費額引き落としの電子マネー機能を達成することができる。特に、パッシブRFIDタグは、電磁誘導駆動を利用し、アクティブ電源が不要で、しかも価格が安く、コンパクトであるという長所を備えるため、電子マネーとしての使用に適している。
【０００３】
本考案者がかつて提出した特許文献１「パッシブRFIDタグを備えるハンドヘルドデバイス保護シート」では、パッシブRFIDタグを、フィルム層とバックフィルム層により組成する保護シート内層に設置する。よって、上記案の保護シートを、フィルム層を利用し、ハンドヘルドデバイス上に静電吸着させる時、パッシブRFIDタグは、ハンドヘルドデバイスの外に露出する。これにより、パッシブRFIDタグをハンドヘルドデバイス内部に設置し、或いはSIMカード上に設置することで、電磁波干渉を受け誘導が不良になり易いという従来の構造にあった欠点を解決することができ、良好な誘導効果を達成することができる。
【０００４】
３Ｃ製品のハウジングに金属が採用されている時には、パッシブRFIDタグは、パッシブRFIDタグ中のアンテナにより、無線電波を通して、RFIDリーダーから、吸收パワーとコマンドを吸収する。そして、パッシブRFIDタグのチップ中の資料も、アンテナにより、無線電波を通して、RFIDリーダーとコミュニケーションする。
【０００５】
しかし、本考案者は特許文献１の保護シートを実際に使用することで、以下の欠点を発見した。
それは、パワーとコマンドを伝送する無線電波は、アンテナが接着されている材料の影響を受けるということである。金属製品であれば、無線電波の反射或いは屈折を招き、これによりRFIDリーダーは識別不能となる。すなわち、こうして無線周波数干渉（ＲＦＩ）或いは電磁波干渉（ＥＭＩ）の問題を引き起こし、パッシブRFIDタグの誘導距離に影響を及ぼし、使用上の不便を招く。
本考案は、従来のパッシブRFIDタグを備える保護シートの上記した欠点に鑑みてなされたものである。
【先行技術文献】
【特許文献】
【０００６】
【特許文献１】台湾実用新案登録第M430622号
【考案の概要】
【考案が解決しようとする課題】
【０００７】
本考案が解決しようとする課題は、パッシブRFIDタグを保護シートの内層に設置し、パッシブRFIDタグ位置にはさらに電磁波吸收層を設置することで、３Ｃ製品が金属ハウジングを採用する時に、保護シート内層のパッシブRFIDタグに対して生じる無線周波数干渉（ＲＦＩ）或いは電磁波干渉（ＥＭＩ）の問題を解決することができるパッシブRFIDタグを備える保護シートを提供することである。
【課題を解決するための手段】
【０００８】
上記課題を解決するため、本考案は下記のパッシブRFIDタグを備える保護シートを提供する。
パッシブRFIDタグを備える保護シートは、保護シート本体、パッシブRFIDタグ、電磁波吸收層を備え、
該保護シート本体は、相対する二側面を備え、一側面は、フィルム層で、もう一方の一側面は、アンチスクラッチ層で、
該パッシブRFIDタグは、該フィルム層と該アンチスクラッチ層との間に設置し、
該電磁波吸收層は、該フィルム層と該アンチスクラッチ層との間に設置し、しかも該電磁波吸收層は、該パッシブRFIDタグと該フィルム層とを隔絶し、
好ましくは、該電磁波吸收層の面積は、該パッシブRFIDタグ２の面積より大きく、
該保護シート本体はさらに、該フィルム層と該アンチスクラッチ層との間に、バックフィルム層を備え、しかも該パッシブRFIDタグと該電磁波吸收層とは、該バックフィルム層中に設置し、
該保護シート本体はさらに、該フィルム層と該アンチスクラッチ層との間に、バックフィルム層を備え、しかも該パッシブRFIDタグは、該バックフィルム層中に設置し、該電磁波吸收層は、該バックフィルム層と該フィルム層との間に設置し、
さらに、リリースフィルム、表面保護フィルムを備え、
該リリースフィルムは、該保護シート本体のフィルム層上に設置し、
該表面保護フィルムは、該保護シート本体のアンチスクラッチ層上に設置し、
該保護シート本体が、該フィルム層により、電子製品上のハウジング上に接着され、しかも該パッシブRFIDタグの少なくとも一部分がハウジングの金属表面に重なる時、該電磁波吸收層の面積は、該パッシブRFIDタグと該金属表面の重なる面積をカバーする。
【考案の効果】
【０００９】
本考案のパッシブRFIDタグを備える保護シートは、以下の効果を備える。
【００１０】
（１）電磁波吸收層を利用し、パッシブRFIDタグと保護シート本体のフィルム層を隔絶するため、保護シート本体がそのフィルム層を利用し、３Ｃ製品の金属ハウジングに接着される時、電磁波吸收層は電池が発生する電磁波或いは他のRF電波と電磁波が、金属ハウジングを通して、パッシブRFIDタグに影響を及ぼさないよう隔絶することができ、パッシブRFIDタグは良好な誘導効果を維持することができる。
【００１１】
（２）構造が簡単で、製造が容易で、現行の熱成型或いは射出成型を採用し、パッシブRFIDタグ及び電磁波吸收層をバックフィルム層中に嵌め入れることができる。
【図面の簡単な説明】
【００１２】
【図１】本考案の実施例１における保護シートの断面図である。
【図２】本考案の実施例１において、リリースフィルムを剥がして取り除き、保護シート本体をハンドヘルドデバイスに貼る様子を示す模式図である。
【図３】本考案の実施例１において、保護シート本体をハンドヘルドデバイスに貼った後、表面保護フィルムを剥がして取り除く様子を示す模式図である。
【図４】本考案の実施例２における保護シートの断面図である。
【考案を実施するための形態】
【００１３】
以下に図面を参照しながら本考案を実施するための最良の形態について詳述する。
【実施例１】
【００１４】
図１に示すように、本実施例は、保護シート本体１、パッシブRFIDタグ２、電磁波吸收層３を備える。保護シート本体１は順番に、フィルム層１１、フィルム層１１上に設置するバックフィルム層１２、及びバックフィルム層１２上に設置するアンチスクラッチ層１３を備える。
【００１５】
パッシブRFIDタグ２及び電磁波吸收層３は、バックフィルム層１２の中に設置する。しかも、電磁波吸收層３の面積は、パッシブRFIDタグ２の面積より大きく、パッシブRFIDタグ２とフィルム層１１とを隔てることができる。パッシブRFIDタグ２及び電磁波吸收層３は製造過程において、熱成型或いは射出成型を利用し、バックフィルム層１２中に嵌め入れる。
【００１６】
リリースフィルム４は、保護シート本体１のフィルム層１１上に設置し、及び表面保護フィルム５を、保護シート本体１のアンチスクラッチ層１３上に設置する。
【００１７】
図２と図３に示すように、先ず、リリースフィルム４を剥がして取り除く。これにより、保護シート本体１はフィルム層１１を利用し静電吸着方式により、ハンドヘルドデバイス６のハウジング上に吸着する。本実施例のハウジングは、金属ハウジング６１である。ハンドヘルドデバイス６は、電池セット区を備え、これにハンドヘルドデバイス６の電池を収容する。パッシブRFIDタグ２への電池の電磁波干渉を回避するため、保護シート本体１を、ハンドヘルドデバイス６上に吸着させる時には、パッシブRFIDタグ２は、電池の位置を避けなければならない。 フィルム層１１を、ハンドヘルドデバイス６の金属ハウジング６１に完全に接着させた後は、表面保護フィルム５を剥がして取り除く。
【００１８】
これにより、保護シート本体１を、ハンドヘルドデバイス６の金属ハウジング６１に接着させる時には、電磁波吸收層３は、パッシブRFIDタグ２とフィルム層１１とを隔てることができるため、電磁波吸收層３は同様に、パッシブRFIDタグ２とハンドヘルドデバイス６の金属ハウジング６１とを隔てることができる。こうして、金属ハウジング６１は、電磁波或いは他のRF電波を容易に伝送するが、電磁波吸收層３を通して、前記電池が発生する電磁波或いは他のRF電波が、金属ハウジング６１を通してパッシブRFIDタグ２に影響しないよう隔絶することができ、パッシブRFIDタグ２は良好な誘導効果を維持することができる。
【００１９】
上記した実施例では、保護シート本体１が、フィルム層１１により、電子製品上のハウジング上に接着され、しかもパッシブRFIDタグ２の少なくとも一部分がハウジングの金属表面に重なる時、電磁波吸收層３の面積が、パッシブRFIDタグ２と金属表面との重なる面積をカバーするなら、電磁波或いは他のRF電波の影響を隔絶することができる。
電子製品は、前記のようにハンドヘルドデバイス６で、ハウジングと金属表面は、同じく前記金属ハウジング６１である。
【実施例２】
【００２０】
本考案の実施例２は、図４に示すように、保護シート本体１Ａ、パッシブRFIDタグ２Ａ、電磁波吸收層３Ａを備える。保護シート本体は順番に、フィルム層１１Ａ、フィルム層１１Ａ上に設置するバックフィルム層１２Ａ、及びバックフィルム層１２Ａ上に設置するアンチスクラッチ層１３Ａを備える。
【００２１】
パッシブRFIDタグ２Ａは製造過程において、熱成型或いは射出成型を利用し、バックフィルム層１２Ａ中に嵌め入れることができる。電磁波吸收層３は、バックフィルム層１２Ａとフィルム層１１Ａとの間に設置する。バックフィルム層１２Ａとフィルム層１１Ａの相互接着を通して、電磁波吸收層３Ａを固定し、電磁波吸收層３Ａにより、パッシブRFIDタグ２Ａとフィルム層１１Ａとを隔絶する。これにより、実施例１と同様の効果を達成することができる。
【００２２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２３】
本考案は、実用新案の登録要件である新規性を備え、しかも従来の同類製品に比べ十分な進歩性を有し、実用性が高く、社会のニーズに合致しており、産業上の利用価値は非常に大きい。
【符号の説明】
【００２４】
１：保護シート本体
１１：フィルム層
１２：バックフィルム層
１３：アンチスクラッチ層
２：パッシブRFIDタグ
３：電磁波吸收層
４：リリースフィルム
５：表面保護フィルム
６：ハンドヘルドデバイス
６１：金属ハウジング
１Ａ：保護シート本体
１１Ａ：フィルム層
１２Ａ：バックフィルム層
１３Ａ：アンチスクラッチ層
２Ａ：パッシブRFIDタグ
３Ａ：電磁波吸收層
【図１】
0003183785.tif 000003
【図２】
0003183785.tif 000004
【図３】
0003183785.tif 000005
【図４】
0003183785.tif 000006